(57)【要約】【課題】アップライトピアノに装着することにより、グランドピアノの譜面台とほぼ同じ高さに譜面を置くことができるピアノの譜面台を提供する。【解決手段】鍵盤を覆う開閉自在な蓋体４ｂを有するアップライトピアノ４に装着するピアノの譜面台であって、アップライトピアノ４の前面板４ａと開放された蓋体４ｂの間にほぼ垂直状態で挟着される挟着部１ａと、挟着部１ａの上縁に連設され、かつ開放された蓋体４ｂによりほぼ水平状態に支持される譜面載置部１ｂとより構成したもので、アップライトピアノ４に装着するだけで、グランドピアノの譜面台とほぼ同じ高さに譜面５を置くことができると共に、面倒な調整作業を必要としないため、婦女子や年配者でも容易に扱える上、挟着部１ａと譜面載置部１ｂとからなる簡単な構成のため、安価に提供することができる。【選択図】図３
2006113167.tif 000002
【特許請求の範囲】
【請求項１】
鍵盤を覆う開閉自在な蓋体を有するアップライトピアノに装着するピアノの譜面台であって、前記アップライトピアノの前面板と開放された前記蓋体の間にほぼ垂直状態で挟着される挟着部と、前記挟着部の上縁に連設され、かつ開放された前記蓋体によりほぼ水平状態に支持される譜面載置部とより構成したことを特徴とするピアノの譜面台。
【請求項２】
前記譜面載置部の前縁部に、前記譜面載置部に対し９０〜１１０度の角度で斜め上方へ突出する突条部を設けてなる請求項１に記載のピアノの譜面台。
【請求項３】
前記前面板及び前記蓋体が当接する前記挟着部の前後面及び前記譜面載置部の下面に、軟質材よりなる当接部材を設けてなる請求項１または２に記載のピアノの譜面台。
【請求項４】
前記挟着部と前記譜面載置部をヒンジにより折り畳み自在に蝶着してなる請求項１ないし３の何れかに記載のピアノの譜面台。
【発明の詳細な説明】
【技術分野】
【０００１】
本発明は、アップライトピアノに装着することにより、グランドピアノの譜面台とほぼ同じ高さに譜面を置くことができるピアノの譜面台に関する。
【背景技術】
【０００２】
ピアノには、比較的小型のアップライトピアノと大型のグランドピアノがある。
これらピアノで練習したり演奏する場合譜面を使用するが、譜面を載置する譜面台は、アップライトピアノａの場合、図７に示すように鍵盤を覆う蓋体ｃの裏側に設けられていて、蓋体ｃを開放することにより、譜面台ｂに譜面ｄが載置できるようになっている。
またグランドピアノｅの譜面台ｂは、図８に示すようにグランドピアノｅの上面に起伏自在に設けられていて、斜めに起立させることにより譜面台ｂ上に譜面ｄが載置できるようになっている。
このためアップライトピアノａで練習したり演奏する場合は、譜面台ｂ上の譜面ｄを見る視線ｆが図７に示すように斜めの下方になるのに対し、グランドピアノｅで練習したり演奏する場合は、譜面ｄを見る視線ｆが図８に示すように斜め上方となるため、次のような問題が生じる。
【０００３】
一般にピアノを習得する場合、ピアノ教師について教習するケースが多いが、ピアノ教師は、グランドピアノを使用して生徒に教習するのに対して、一般家庭では、住宅事情等により比較的小型なアップライトピアノを使用して練習することが多い。
このためピアノ教師宅でグランドピアノを使用して練習してきた者が、家庭でアップライトピアノを使用して練習を行う場合、鍵盤から譜面ｄまでの高さの差から違和感を生じて、ピアノ教師宅と同様な練習ができなかったり、逆に自宅で練習した成果がピアノ教師宅で出せない等の問題が発生する。
【０００４】
かかる問題を改善するため、例えば特許文献１でアップライトピアノでも譜面台の高さをグランドピアノとほぼ高さに調整できるピアノ用補助譜面台が提案されている。
前記特許文献１に記載されたピアノ用補助譜面台は、下縁部に譜面受け板を有する平板状の譜面載せ板の裏面に、案内溝に沿って上下調整自在な本体部斜度合調節用兼高さ調整具と、一端が譜面載せ板の裏面上部に固着され、他端に引っ掛け用フックが設けられた一対の長さ調整自在な帯状体を設けたもので、引っ掛けようフックをアップライトピアノの前板上部に引っ掛けて、高さ調整用具で譜面載せ板の角度を調整し、また引っ掛け用フックをグランドピアノの譜面台に引っ掛けることにより、アップライトピアノとグランドピアノとでほぼ同じ高さに譜面台を設けることができるように構成されている。
【特許文献１】実用新案登録第３０４１１０８号公報
【発明の開示】
【発明が解決しようとする課題】
【０００５】
しかし前記特許文献１に記載されたピアノ用補助譜面台は、譜面載せ台に形成された案内溝に沿って上下調整自在な高さ調整用具が設けられていたり、長さ調整が自在な一対の帯状体が設けられているため、構造が複雑で製作に多くの手間がかかるため、高価となる問題がある。
また譜面載せ板の左右に設けられた帯状体の長さを調節する際、左右長さ同じにする必要があるが、ピアノを練習する者が婦女子や年配者の場合、左右長さ同じにする調節作業が難しい上、譜面載せ板の高さが所望の高さになるまで左右帯状体の長さ調節を繰り返さなければならないため、調節作業が煩雑で、かつ時間がかかる等の問題がある。
さらに譜面載せ台は、帯状体により上部が支持された構造のため、譜面をめくる毎に譜面載せ台が前後に不安定に揺動することがあり、その結果譜面がめくり難かったり、めくったページが元に戻ってしまうことがあるため、ピアノの練習や演奏に集中できない等の問題もある。
【０００６】
本発明はかかる問題を改善するためになされたもので、アップライトピアノに装着することにより、グランドピアノの譜面台とほぼ同じ高さに譜面を置くことができるピアノの譜面台を提供することを目的とするものである。
【課題を解決するための手段】
【０００７】
本発明のピアノの譜面台は、鍵盤を覆う開閉自在な蓋体を有するアップライトピアノに装着するピアノの譜面台であって、アップライトピアノの前面板と開放された蓋体の間にほぼ垂直状態で挟着される挟着部と、挟着部の上縁に連設され、かつ開放された蓋体によりほぼ水平状態に支持される譜面載置部とより構成したものである。
【０００８】
前記構成により、アップライトピアノの前面板と蓋体の間に挟着部を挟着して譜面載置部をほぼ水平となるように譜面台を装着したら、譜面載置部に譜面を載置することにより、譜面の高さがグランドピアノの場合とほぼ同じ高さになることから、例えばピアノ教師宅でグランドピアノにより練習していた生徒が自宅でアップライトにより予習や復習する場合でも何等違和感なく譜面を見ることができ、これによって練習に集中できることからピアノの上達を促進することがでる。
また面倒な調整作業を必要としないため、婦女子や年配者でも容易に扱える上、譜面をめくる際に譜面台が不安定に揺動することがないため、所望のページを確実にめくることができると共に、挟着部と譜面載置部とからなる簡単な構造のため安価に提供することができる。
【０００９】
本発明のピアノの譜面台は、譜面載置部の前縁部に、譜面載置部に対し９０〜１１０度の角度で斜め上方へ突出する突条部を設けたものである。
【００１０】
前記構成により、譜面のページをめくる際に譜面載置部より譜面がずり落ちることがない上、譜面の下縁が突条部に強く当ることがないため譜面がめくりやすくなると共に、突条部との摩擦により譜面の下縁が傷むこともない。
【００１１】
本発明のピアノの譜面台は、前面板及び蓋体が当接する挟着部の前後面及び譜面載置部の下面に、軟質材よりなる当接部材を設けたものである。
【００１２】
前記構成により、譜面台を装着した際アップライトピアノの前面板や蓋体が傷つくことがない上、当接部材の摩擦力により譜面台が状で左右方向へずれることもないため、安定した状態で譜面台をアップライトピアノに装着することができる。
【００１３】
本発明のピアノの譜面台は、挟着部と譜面載置部をヒンジにより折り畳み自在に蝶着したものである。
【００１４】
前記構成により、譜面台をコンパクトに折り畳むことにより、箱詰めして販売する際小型の包装箱に詰め込むことができるため、包装箱のコストや、輸送、保管コストを大幅に削減することができる。
【発明の効果】
【００１５】
本発明のピアノの譜面台によれば、面倒な調整作業を必要としないため、婦女子や年配者でも容易に扱える上、挟着部と譜面載置部とからなる簡単な構造のため、安価に提供することができる。
【発明を実施するための最良の形態】
【００１６】
本発明の実施の形態を、図面を参照して詳述する。
図１は譜面台の斜視図、図２は同側面図、図３は使用状態の説明図、図４ないし図６は変形例の説明図である。
図１及び図２に示す譜面台本体１は、左右方向に長い長方形状の挟着部１ａと、挟着部１ａの上縁に連設された譜面載置部１ｂ及び譜面載置部１ｂの前端縁より斜め上方に突設された突条部１ｃとからなり、全体が比較的軽量の木材や合成樹脂により形成されている。
譜面台本体１の挟着部１ａは、使用時図３に示すようにアップライトピアノ４の前面板４ａと、鍵盤（図示せず）を覆う開閉自在な蓋体４ｂの間にほぼ垂直な状態で挟着されるようになっており、アップライトピアノ４の前面板４ａに当接する挟着部１ａの後面と前面の一部及び譜面載置部１ｂの下面の一部に、フェルトやウレタン等の軟質材よりなる当接部材２が接着等の手段で固着されている。
【００１７】
挟着部１ａの裏面に設けられた当接部材２のほぼ中央部には、シール３が剥離自在に貼付されている。
このシール３には、例えば「アップライトピアノのふたをあけたときに、この面をふたのうら側に入れて下さい」等の使用法を示す説明文が印刷されており、譜面台本体１の使用時には、随時剥離できるようになっている。
挟着部１ａと譜面載置部１ｂの下面に形成された当接部材２は、図２に示すように挟着部１ａのほぼ上半分と譜面載置部１ｂの後半分に連続するよう設けられていて、鍵盤を覆う蓋体４ｂの形状がピアノメーカより異なる場合でも、蓋体４ｂの角部４ｃと前縁部４ｄが当接部材２に必ず当接するようになっている。
【００１８】
また譜面台本体１の譜面載置部１ｂは、挟着部１ａに対しほぼ直角となっていて、使用時ほぼ水平となるよう挟着部１ａの上縁に連設されており、譜面載置部１ｂの上面に譜面５が載置できるようになっていると共に、譜面載置部１ｂの前縁に突設された突条部１ｃは、譜面載置部１ｂ上に斜めに載置した譜面５がずり落ちるのを防止すると同時に、譜面載置部に載置した譜面５をめくる際に支障をきたさないように、譜面載置部１ｂに対する角度θが９０〜１１０度の範囲に設定されている。
以上のように形成された譜面台本体１の左右方向の幅は、譜面５を開いた際の幅よりやや大きくなっていて、木製の場合は高級感を出すために木目がきれいな板材を使用し、かつ表面がニス等の塗料で塗装されており、譜面台本体１を樹脂により一体成形する場合は、成形品の表面に木目調の印刷を施すことにより、アップライトピアノ４に装着した際違和感が生じないように工夫されている。
【００１９】
次に前記構成されたピアノの譜面台の作用を説明する。
譜面台本体１の使用に当たっては、アップライトピアノ４の鍵盤を覆う蓋体４ｂを開放したら、アップライトピアノ４の前面板４ａと蓋体４ｂの間に図３に示すように譜面台本体１の挟着部１ａを挟着する。
このとき挟着部１ａの後面に設けられた当接部材２がアップライトピアノ４の前面板４ａに当接し、挟着部１ａの前面と譜面載置部１ｂの下面に設けられた当接部材２に蓋体４ｂの角部４ｃと前縁部４ｄが当接するため、前面板４ａや蓋体４ｂを傷つけることがないと同時に、当接部材２と前面板４ａ間の摩擦により譜面台本体１が上下、左右方向にずれることがないため、アップライトピアノ４に対して譜面台本体１を安定した状態で装着することができる。
【００２０】
次にこの状態で譜面載置部１ｂ上に図３に示すように譜面５を載置して、所望のページを開くと、鍵盤から譜面５までの高さがグランドピアノの譜面台に載置した譜面とほぼ同じ高さになるため、グランドピアノで練習や演奏していた者でも、何等違和感を感じることなくアップライトピアノ４で練習や演奏を行うことができるようになる。
また譜面台本体１は、アップライトピアノ４の前面板４ａと蓋体４ｂの間に挟着されているため、譜面５のページをめくる際に不安定に揺動することがなく、これによって所望のページを容易に開くことができるため、練習や演奏に集中することができると共に、譜面載置部１ｂの前縁に突設した突条部１ｃの角度θを例えば１１０度に設定しておけば、譜面５のページをめくる際に譜面５の下縁が突条部１ｃに強くこすれることがないため、ページがめくりやすくなる上、譜面５の下縁が傷むこともなくなる。
なおピアノの練習や演奏を行う際、複数の譜面を同時に使用することがある。
このような場合は予め複数の譜面台本体１を用意して、これら譜面台本体１を横方向に並べてアップライトピアノ４に装着することにより、同時に複数の譜面５を使用してピアノを練習したり、演奏することが可能になる。
【００２１】
一方図４ないし図６は、譜面台本体１の変形例を示すもので、次にこの変形例を説明する。
前記実施の形態では、譜面台本体１の挟着部１ａと譜面載置部１ｂとが一体となった場合について説明したが、一体構造の譜面台本体１では、箱詰めして販売する場合、包装箱が大きくなって、包装箱自体のコストや、輸送、保管コストが嵩む等の問題がある。
これを改善するため、図４ないし図６に示す変形例では、譜面台本体１の挟着部１ａと譜面載置部１ｂを別体に形成して、挟着部１ａの上縁部に譜面載置部１ｂの後縁側をヒンジ６により蝶着している。
これによって図６に示すように、ヒンジ６により挟着部１ａと譜面載置部１ｂが重なるように折り畳むことができることから、箱詰めする場合小型の包装箱に収納できるようになるため、包装箱自体のコストや、輸送、保管に要するコストの大幅な削減が図れるようになる。
【００２２】
また譜面台本体１を使用する際には、挟着部１ａを開いて図４に示すようにアップライトピアノ４の前面板４ａと蓋体４ｂの間で挟着部１ａを挟着することにより、前記実施の形態と同様に使用できると共に、蓋体４ｂの前縁部４ｄにより譜面載置部１ｂが下方より支持されるため、譜面載置部１ｂ上に譜面５を載置しても、譜面の重さで譜面載置部１ｂが下がることもない。
【００２３】
なお挟着部１ａと譜面載置部１ｂをほぼ直角に開いた状態で固定するためのストッパ手段（図示せず）をヒンジ６の近傍に設けるようにしてもよい。
また譜面台本体１を樹脂により一体成形する場合は、挟着部１ａと譜面載置部１ｂの連設部を薄肉としてヒンジ６を形成し、このヒンジ６より挟着部１ａと譜面載置部１ｂを折り畳めるようにしてもよく、この場合も、ヒンジ６近傍に挟着部１ａと譜面載置部１ｂをほぼ９０度に固定するストッパ手段や突起状のストッパを設けるようにしてもよい。
【図面の簡単な説明】
【００２４】
【図１】本発明の実施の形態になるピアノの譜面台の斜視図である。
【図２】本発明の実施の形態になるピアノの譜面台の側面図である。
【図３】本発明の実施の形態になるピアノの譜面台の使用状態の側面図である。
【図４】本発明の実施の形態になるピアノの譜面台の変形例を示す側面図である。
【図５】本発明の実施の形態になるピアノの譜面台の変形例を示す下面図である。
【図６】本発明の実施の形態になるピアノの譜面台の変形例を示す折り畳み状態の側面図である。
【図７】アップライトピアノを演奏している状態の説明図である。
【図８】グランドピアノを演奏している状態の説明図である。
【符号の説明】
【００２５】
１    譜面台本体
１ａ    挟着部
１ｂ    譜面載置部
１ｃ    突条部
２    当接部材
４    アップライトピアノ
５    譜面
６    ヒンジ
【図１】
2006113167.tif 000003
【図２】
2006113167.tif 000004
【図３】
2006113167.tif 000005
【図４】
2006113167.tif 000006
【図５】
2006113167.tif 000007
【図６】
2006113167.tif 000008
【図７】
2006113167.tif 000009
【図８】
2006113167.tif 000010